(57)【要約】【課題】携帯情報機器の２次電池のリキャリブレーションを使用者が携帯情報機器を使用中に迅速に実施する。【解決手段】ＡＣアダプタと２次電池から電力供給を受けて使用する携帯情報機器の２次電池のリキャリブレーションを行うリキャリブレーション方法であって、リキャリブレーションを開始するときに、２次電池の容量が較正上限値より下位に設けた充電開始限界容量値以上であるかどうか、もしくは電池容量が較正下限値より上位に設けた放電開始限界容量値以下であるかどうかを判断するステップと、この判断に従って、２次電池を較正上限値まで充電した後、較正下限値まで強制放電させるステップもしくは、２次電池を較正下限値まで強制充電した後、較正上限値まで充電するステップとを有する。【選択図】図２
2008271759.tif 000002
【特許請求の範囲】
【請求項１】
ＡＣアダプタと２次電池から電力供給を受けて使用する携帯情報機器の前記２次電池のリキャリブレーションを行うリキャリブレーション方法であって、
前記リキャリブレーションを開始するときに、前記２次電池の容量が較正上限値より下位に設けた充電開始限界容量値以上であるかどうか、または電池容量が較正下限値より上位に設けた放電開始限界容量値以下であるかどうかを判断するステップと、
前記判断に従って、前記２次電池を前記較正上限値まで充電した後、前記較正下限値まで強制放電させるステップ、または前記２次電池を前記較正下限値まで強制充電した後、前記較正上限値まで充電するステップと
を含むことを特徴とする２次電池のリキャリブレーション方法。
【請求項２】
前記リキャリブレーションは、前記ＡＣアダプタの電源供給がなされているときに実施されることを特徴とする請求項１記載の２次電池のリキャリブレーション方法。
【請求項３】
前記ＡＣアダプタから給電を受けて前記携帯情報機器が使用される時間と、前記２次電池から給電を受けて前記携帯情報機器が使用される時間を計測するステップを有し、
所定期間内における前記ＡＣアダプタからの給電時間と前記２次電池からの給電時間の比率に対応して、前記リキャリブレーションを前記較正上限値まで充電することから開始するか、または前記較正下限値まで強制放電することから開始するかを判断することを特徴とする請求項１または請求項２記載の２次電池のリキャリブレーション方法。
【請求項４】
前記所定期間内における前記ＡＣアダプタからの給電時間と前記２次電池からの給電時間の比率が所定値以下の場合は、前記リキャリブレーションを前記較正下限値まで強制放電することから開始することを特徴とする請求項３記載の２次電池のリキャリブレーション方法。
【請求項５】
前記携帯情報機器は、前記２次電池の充放電を制御する充放電制御手段と前記充放電制御手段を制御するマイクロコンピュータを保有し、前記マイクロコンピュータは基本ソフトを実行するＣＰＵと連携して、前記リキャリブレーションの実施中に使用者が前記基本ソフトを終了した場合に、前記マイクロコンピュータが前記リキャリブレーションを継続して実施することを特徴とする請求項１〜４のいずれか１項記載の２次電池のリキャリブレーション方法。
【発明の詳細な説明】
【技術分野】
【０００１】
本発明は、主として事務所で使用されるノートパソコンやＰＤＡ（携帯情報端末）などの携帯情報機器に使用する２次電池のリキャリブレーション方法に関わり、リキャリブレーションの所要時間を短縮して携帯情報機器を迅速に使用可能にする技術に関する。
【背景技術】
【０００２】
ノートパソコンなどの携帯情報機器に使用される、例えばリチウムイオン電池などの２次電池（以下、「電池」と呼ぶ）は、マイクロコンピュータとメモリを内蔵し、製造事業者やシリアル番号のほか、電池の情報、例えば、電池の容量と残量等の情報を記憶し外部に提供できる。
【０００３】
また、学習機能を有しており、電池容量や残量を常時学習して、その値を絶えず更新している。
【０００４】
一方、携帯情報機器は、電池から容量と残量の情報を受けて、画面上にその情報を、例えば残量５０％、利用時間３時間といったような形で表示し、使用者が外出先で電池だけで携帯情報機器を使用する場合の使用可能時間の目安にしている。
【０００５】
ところが、電池からの残量情報は誤差を含んでおり、この誤差が大きいと、携帯情報機器では残量が十分であると表示されていても、突然携帯情報機器が使えなくなり、逆に残量０で表示されていても、まだ十分使用できるといった不都合が生じる。
【０００６】
一般に電池の残量は、電池容量の容量下限値、例えば１０％の容量基準値（電池電圧で規定される）もしくは電池容量の容量上限値、例えば９０％の容量基準値（同様に電池電圧で規定）を基準として、電池への充電電流の積分値から電池からの放電電流の積分値を差し引く方法で実施される。このため、積分誤差が集積し、さらに自己放電などの影響が加わり誤差が経時的に増大する。また、電池は充放電の反復によって容量が減少する。
【０００７】
そこで、この誤差を修正する作業と容量を再確認する作業を定期的に実施する必要がある。この作業は、電池を前述の容量下限値以下の容量に放電した後、電池を容量上限値にまで充電する方法が一般的である。この作業はリキャリブレーションあるいはリキャリブレーションと呼ばれ、例えば特許文献１〜３に示すようなものが提案されている。
【０００８】
特許文献１に示すものは、電池の放電の際に、電池の負荷である携帯情報機器のＬＣＤのバックライトの点灯や冷却ファンの駆動、ドライブ駆動モータの駆動、反復的なメモリのアクセスなどを行って放電時間を短縮させることが提案されている。
【０００９】
また、特許文献２に示すものは、電池の上限容量の近傍に充電較正領域を、電池の下限容量の近傍に放電較正領域を設け、電池を使用中に、電池容量が充電較正領域に達した場合は、電池の負荷（モータ）への放電を禁止して電池を充電して充電較正領域の上限（例えば７０％）で残量較正をし、電池容量が放電較正領域に達した場合は、電池の充電を禁止して電池を放電して放電較正領域の下限（例えば３０％）で残量較正をするようにして残量誤差を補正し、この過程での充電電流の積分値と放電電流の積分値の差から電池の容量（全容量）を演算で求めるものである。
【００１０】
また、特許文献３に示すものは、コンピュータ装置によって、電池のリフレッシュを実行管理するもので、電池識別子ごとにファイルを設け、このファイルにリフレッシュの経歴を保存し、所定期間ごとにリフレッシュを実行させることが記載されている。
【特許文献１】特開２０００−６００２０号公報
【特許文献２】特開２００１−４５６６８号公報
【特許文献３】特開２０００−９２８３９号公報
【発明の開示】
【発明が解決しようとする課題】
【００１１】
しかしながら、前述の特許文献１に示す方法は、放電時間は短縮されるがリキャリブレーション中は、携帯情報機器が使えない課題がある。
【００１２】
また、特許文献２に示す方法は、電池を利用しながらリキャリブレーションを実施できるが、リキャリブレーションが確実に実施できる保証がない。すなわち、電池容量が充電較正領域、もしくは放電較正領域に達するかどうかは成り行き任せであり、両方の領域が連続して発生しないと容量較正はできないので、その点で確実性に欠ける課題がある。
【００１３】
また、特許文献３に示す方法は、具体的なリキャリブレーションの方法については記載がない。
【００１４】
本発明は、上記課題を解決するためになされたもので、使用者が携帯情報機器を使用中に、使用と平行してリキャリブレーションが可能であり、かつ、その実行時間も短縮することを目的としている。
【課題を解決するための手段】
【００１５】
上述したような課題を解決するために、請求項１記載の２次電池のリキャリブレーション方法は、ＡＣアダプタと２次電池から電力供給を受けて使用する携帯情報機器の２次電池のリキャリブレーションを行うリキャリブレーション方法であって、リキャリブレーションを開始するときに２次電池の容量が較正上限値より下位に設けた充電開始限界容量値以上であるかどうか、または電池容量が較正下限値より上位に設けた放電開始限界容量値以下であるかどうかを判断するステップと、その判断に従って、２次電池を較正上限値まで充電した後、較正下限値まで強制放電させるステップ、または２次電池を較正下限値まで強制充電した後、較正上限値まで充電するステップとを含むことを特徴としている。このことにより、リキャリブレーションを開始するときに２次電池の容量が充電開始限界容量値、または放電開始限界容量値のどちらに近いかを判断して、リキャリブレーションを充電または放電から開始することで、リキャリブレーションの所要時間を短縮し携帯情報機器を迅速に使用可能にすることができる。なお、リキャリブレーションの起動は、使用者による手動起動、または基本ソフトが立ち上がった直後の自動起動などが考えられることは言うまでもない。
【００１６】
また、請求項２記載のリキャリブレーション方法は、ＡＣアダプタの電源供給がなされているときに実施されることを特徴としている。このことにより、リキャリブレーション中に実施される較正上限値までの充電を保証することができる。
【００１７】
また、請求項３記載のリキャリブレーション方法は、ＡＣアダプタから給電を受けて携帯情報機器が使用される時間と、２次電池から給電を受けて携帯情報機器が使用される時間を計測するステップを有し、所定期間内におけるＡＣアダプタからの給電時間と２次電池からの給電時間の比率に対応して、リキャリブレーションを較正上限値まで充電することから開始するか、または較正下限値まで強制放電することから開始するかを判断することを特徴としている。
【００１８】
リキャリブレーションを実施する２次電池を装着した携帯情報機器の主たる給電先の比率を求めることによって、所定期間内における携帯情報機器の駆動状況（ＡＣ駆動またはＤＣ駆動）を類推することが可能となり、携帯情報機器の使用実態に応じたリキャリブレーションの実施が可能となる。なお、ここで言う携帯情報機器の使用実態に応じたリキャリブレーションとは、リキャリブレーションの所要時間を優先する方法とリキャリブレーション後の電池容量を優先する方法を指す。所要時間を優先する方法とは、電池容量と充電開始限界容量値または放電開始限界容量値を比較して、所要時間が短くなるように充電または放電からリキャリブレーションを開始する方法であり、最短の所要時間でのリキャリブレーションを保証することができる。一方、リキャリブレーション後の電池容量を優先する方法とは、リキャリブレーション完了時に電池容量が較正上限値または較正下限値になるように充電または放電からリキャリブレーションを開始する方法であり、リキャリブレーション完了時の電池容量を保証することができる。
【００１９】
また、請求項４記載のリキャリブレーション方法は、所定期間内におけるＡＣアダプタからの給電時間と２次電池からの給電時間の比率が所定値以下の場合は、リキャリブレーションを較正下限値まで強制放電することから開始することを特徴としている。
【００２０】
携帯情報機器の主たる駆動状況がＤＣ駆動と類推される場合は、リキャリブレーション完了時に電池容量が較正上限値になるように放電からリキャリブレーションを開始することで、リキャリブレーション完了直後から満充電状態の２次電池を使用することができる。
【００２１】
また、請求項５記載のリキャリブレーション方法は、請求項１〜４記載のリキャリブレーション方法において、携帯情報機器は、２次電池の充放電を制御する充放電制御手段と充放電制御手段を制御するマイコンを保有し、このマイコンは基本ソフトを実行するＣＰＵと連携して、リキャリブレーションの実施中に使用者が基本ソフトを終了した場合に、マイコンがリキャリブレーションを継続して実施することを特徴としている。このことにより、携帯情報機器の使用者は、会議などで携帯情報機器から離れる場合に、携帯情報機器の電源オフしてもリキャリブレーションを継続できる。
【発明の効果】
【００２２】
本発明によれば、使用者が携帯情報機器を使用中に、使用と平行してリキャリブレーションが可能であり、かつ、その実行時間も短縮できる２次電池のリキャリブレーション方法を提供できる。
【発明を実施するための最良の形態】
【００２３】
以下、本発明の実施の形態について図面を参照しながら詳細に説明する。なお、説明を解り易くするために数字を例示しているが、本発明はこれに拘束されるものではない。
【００２４】
（実施の形態１）
図１は、本発明の実施の形態における携帯情報機器の要部の構成を示す図である。
【００２５】
ノートパソコン１０は、電池２０と、電池２０から種々の情報提供を受けるマイクロコンピュータ（以下、「マイコン」と略記する）３０と、マイコン３０に接続したＣＰＵ４０および充放電制御手段５０と、充放電制御手段５０に外部のＡＣアダプタ（図示しない）から給電を受けるためのＡＣアダプタ端子６１、６２とを備えている。なお、充放電制御手段５０は、充電制御部５１と開閉器５２と放電抵抗５３とから構成されている。
【００２６】
マイコン３０は、電池２０から電池の識別符号（シリアル番号など）と電池状態（残存容量など）と充放電の実績などの情報をＣＰＵ４０に伝え、ＣＰＵ４０は、これらの情報を電池の識別符号ごとのファイルとしてＲＡＭ（図示せず）に収容するとともに、電池残量を液晶表示部（図示せず）に表示する。さらには、電池の充放電の実績からリキャリブレーションの必要なタイミングを判断し、リキャリブレーション要求としてマイコン３０に伝達する。リキャリブレーション要求を受けたマイコン３０は、電池２０からの残存容量の情報とＡＣアダプタ端子６１、６２にＡＣアダプタから給電を受けているかどうかの情報に基づいて充放電制御手段５０を制御する。充放電制御手段５０は、マイコン３０の指示に従って充電制御部５１により、電池２０の定電流充電や定電圧充電あるいは充電停止を実施し、また、開閉器５２を閉路して電池２０の電荷を放電抵抗５３に放出する強制放電を実施する。電池２０は、充電上限（または放電下限）から放電下限（または充電上限）に至る過程で、電池の残存容量値と電池容量（最大容量値）を較正する（詳しくは後述）。
【００２７】
図２は、本発明の実施の形態におけるリキャリブレーション時の電池の充放電状態を示す図である。図面は縦軸に電池の残存容量を示し横軸に時間経過を示している。図面のように特性ＡとＢの２つのモードを用意し、携帯情報機器を使用開始時にいずれかのモードを選択して電池のリキャリブレーションを実施する。
【００２８】
次に、以上述べた図１と図２を参照しながら、図３を用いてリキャリブレーション方法の詳細を説明する。図３は、本実施の形態における電池のリキャリブレーション方法の詳細を示す流れ図である。ステップＳ１０１において、ノートパソコンの電源スイッチが使用者によりオンされると、ステップＳ１０２においてＷｉｎｄｏｗｓ（登録商標）などの基本ソフト（以下、「ＯＳ」と呼ぶ）が立ち上がる。
【００２９】
続いてステップＳ１０３で、電池情報のファイルにアクセスしてリキャリブレーション（図面では較正と表記）の必要性をチェックする。次にステップＳ１０４で、電池残量Ｑが３０％以下かもしくは７０％以上であるかをチェックし、さらにステップＳ１０５で、ＡＣアダプタ（ＡＤＰ）から給電を受けているかどうかをチェックする。
【００３０】
このステップＳ１０３〜１０５の動作は、マイコン３０とＣＰＵ４０とが共働して実施し、いずれかのステップがＮＯであればリキャリブレーションは実施されないが、いずれのステップもＹＥＳであれば、次のステップに進む。
【００３１】
次のステップＳ１０６では、ＣＰＵ４０が液晶画面上にリキャリブレーションの実施について使用者の了解を求める表示を行う。このステップは、使用者が出張などの予定を控えている場合を考慮してのものである。ステップＳ１０７で、使用者が液晶画面上の了解マークをマウスでクリックするか、キーボードのＹ釦を押すとリキャリブレーションが開始される。
【００３２】
リキャリブレーションは２個のコースの２者択一である。まず、一方のコースは、ステップＳ１０４でのチェックで電池残量が７０％以上の場合で、この場合は図２のＡモードの経緯で実施される。ステップＳ１０８で、電池が充電がされ（図２のｔ１）、ステップＳ１０９で電池残量が９０％に達した（同ｔ２）ことを電池２０自身が判断すると（電池電圧で検知）、ステップＳ１１０で電池２０は、このときの電池電圧を容量９０％として較正する（上限較正）。この信号を受けたマイコン３０は、充放電制御手段５０に指示して電池２０への充電を停止し、すぐにステップＳ１１１で強制放電に移行する。強制放電中は、ＡＣアダプタからの給電は遮断され、電池２０は放電抵抗５３に電荷を放出するとともに、ＣＰＵ４０と、使用者のノートパソコンの操作に従ってＣＰＵ４０がコントロールするＲＡＭや液晶表示とそのバックライト、ハードディスクドライブ用のモータ等（いずれも図１には図示せず）にも電荷を放出し、電池２０の電圧は時間経過とともに降下する。この、トータルの放電電流を電池２０は積分し続けて次のステップに至る。
【００３３】
ステップＳ１１２で電池残量が１０％に達した（図２のｔ５）と電池２０自身が判断すると（電池電圧で検知）、ステップＳ１１３で電池２０は、このときの電池電圧を電池残量１０％として較正し（下限較正）、マイコン３０は充放電制御手段５０に指示して強制放電を停止する。
【００３４】
電池２０は、以上の上限較正（９０％）と下限較正（１０％）の差８０％に相当する電流積分値から電池２０の最大容量（１００％）を演算で求め、自己のメモリに収納してリキャリブレーションは終了する。ステップＳ１１３以降は、電池２０は充電モードになり、較正下限１０％を基準として電流積分により電池残量の計測を行う。
【００３５】
次に、他方のコースは、ステップＳ１０４でのチェックで電池残量が３０％以下の場合で、この場合は図２のＢモードの経緯で実施される。ステップＳ１１４で、マイコン３０は、充放電制御手段５０に指示して電池２０への充電を停止し強制放電を実施する（図２のｔ１）。強制放電中は、ＡＣアダプタからの給電は遮断され、電池２０は、放電抵抗５３に電荷を放出するとともに、ＣＰＵ４０と、使用者のノートパソコンの操作に従ってＣＰＵ４０がコントロールするＲＡＭや液晶表示とそのバックライト、ハードディスクドライブ用のモータ等（いずれも図１には図示せず）にも電荷を放出し、電池２０の電圧は時間経過とともに降下する。ステップＳ１１５で電池残量が１０％に達した（同ｔ３）と電池２０自身が判断すると（電池電圧で検知）、ステップＳ１１６で電池２０は、このときの電池電圧を容量１０％として較正し（下限較正）強制放電もマイコン３０の指示で停止される。次にステップＳ１１７で、マイコン３０は充放電制御手段５０に指示して電池２０への充電を行う。充電が進行しステップＳ１１８で電池残量が９０％に達した（図２のｔ４）と電池２０自身が判断すると（電池電圧で検知）、ステップＳ１１９で電池２０は、このときの電池電圧を電池残量９０％として較正し（上限較正）、マイコン３０は充放電制御手段５０に指示して充電を停止する。
【００３６】
電池２０は、以上の下限較正（１０％）と上限較正（９０％）の差８０％に相当する電流積分値から電池２０の最大容量（１００％）を演算で求め、自己のメモリに収納してリキャリブレーションは終了する。ステップＳ１１９以降は、電池２０は通常の充電モードになり、較正上限９０％を基準として電流積分により電池残量の計測を行う。
【００３７】
以上述べたように、本発明は、リキャリブレーションの必要が生じたとき、携帯情報機器の使用の初期において、電池残量に応じて最も効率的なコースでリキャリブレーションを実施するようにしたものであり、リキャリブレーションの時間が短縮されるとともに省エネルギーの効果も期待できるものである。
【００３８】
なお、本実施の形態では、リキャリブレーションを携帯情報機器の使用中に終了させるため、携帯情報機器の使用直後において２つのコースを選択して実施し、電池残量が２つのコースのどちらにも該当しないときは、リキャリブレーションを次回の機器使用時に実施させるようにしたが、携帯情報機器の使用開始後の一定時間は（例えば１時間）２つのコース選択を受け付けるようにしても差し支えがない。
【００３９】
（実施の形態２）
本実施の形態は、実施の形態１のリキャリブレーションの方法を基本として、実施の形態１で述べたリキャリブレーションの２つのコース選択の方法を携帯情報機器の使用実態に応じて行うようにしたものである。したがって、図１と図２の説明は重複するので省略し、図４の詳細な動作の説明の一部も省略する。
【００４０】
図４は、本実施の形態における電池２０のリキャリブレーション方法の詳細を示す流れ図である。ステップＳ２０１では、ノートパソコン１０がＡＣアダプタから給電を受けて使用されている時間をマイコン３０でカウントし（Ｃ）、ステップＳ２０２では、ノートパソコン１０が電池からのみ給電を受けて使用されている時間をマイコン３０でカウントし（Ｄ）、これらのカウントを所定期間（例えば１４日間）継続する（ステップＳ２０３）。
【００４１】
次にステップＳ２０４で、上記２つのカウントＣとＤの比率Ｋを求め、この結果は、ＣＰＵ４０を介して電池識別子ごとのファイルに収納される。この比率Ｋは移動平均として日々更新されファイルの内容も更新されている。このような状況下において、ステップＳ２０５で電源がオンされ、ステップＳ２０６でリキャリブレーション要求が確認され、ステップＳ２０７でＡＣアダプタ（ＡＤＰ）の給電が確認され、ステップＳ２０８で使用者に告知し、ステップＳ２０９で使用者の承諾が得られると、ステップＳ２１０でリキャリブレーションの２つのコースが選択される。
【００４２】
ステップＳ２１０では、マイコン３０が上記のファイルから比率Ｋを呼び出し、比率Ｋが所定値以上であるか否かによりリキャリブレーションの２つのコースを選択する。
【００４３】
比率Ｋが所定値以上の場合、すなわち携帯情報機器をＡＣアダプタに接続して使用することが多い場合は、ステップＳ２１１で、電池残量Ｑが７０％以上の場合は、図２のＡのモードでリキャリブレーションが実行される（ステップＳ２１２、ステップＳ２１３）。この実行の手順は、図３のステップＳ１０８〜ステップＳ１１３と同じである。
【００４４】
なお、ステップＳ２１１で電池残量Ｑが７０％以下であれば、リキャリブレーションは実施されず、次回の電源オンまで持ち越されるが、実際には、携帯情報機器をＡＣアダプタで使用することが多い場合は、電池２０の電池残量は、８０％またはそれ以上であるのでこのケースはまれである。
【００４５】
ステップＳ２１０で比率Ｋが所定値以下の場合、すなわち携帯情報機器を電池２０のみで使用することが多い場合は（出張先での使用が多い）、ステップＳ２１４で、電池残量Ｑが３０％以下の場合は、図２のＢのモードでリキャリブレーションが実行される（ステップＳ２１５、ステップＳ２１６）。この実行の手順は、図３のステップＳ１１４〜ステップＳ１１９と同じである。
【００４６】
以上述べたように、本実施の形態は、リキャリブレーションの必要が生じたとき、リキャリブレーションの２つのコース選択の方法を携帯情報機器の使用実態に応じて行うようにしたものである。
【００４７】
このため、携帯情報機器が事務所で使用されることが多い場合は、電池残量が満充電に近い場合が多いのでリキャリブレーションの要求が生じたとき、すぐに充電からスタートすることができる。
【００４８】
また、携帯情報機器が外出先使用されることが多い場合は、リキャリブレーションの要求が生じたとき、放電から開始して充電で終了するので、終了後はすぐに外出先での携帯情報機器の使用が可能になる。
【００４９】
なお、本実施の形態のステップＳ２１０での比率Ｋの比較基準値（所定値）を１個にしているが、所定値を２個設けて２つのコースを選択し、どちらにも該当しない場合は、次回以降の電源オン時に実行するようにしてもかまわない。
【００５０】
（実施の形態３）
本実施の形態は、実施の形態１および実施の形態２のリキャリブレーションの方法を基本として、実施の形態１および実施の形態２のリキャリブレーションを実施中に使用者が携帯情報機器の使用を中断し、あるいは中止した場合のリキャリブレーションを継続させる方法についてのものである。
【００５１】
したがって、図１と図２の説明は重複するので省略し、図５の詳細な動作の説明の一部も省略する。図５は、本実施の形態における電池のリキャリブレーション方法の詳細を示す流れ図である。
【００５２】
ステップＳ３０１のリキャリブレーションの実施中に、ステップＳ３０２で使用者が携帯情報機器のシャットダウン操作（電源スイッチを押す）を行うと、ステップＳ３０３でＡＣアダプタを携帯情報機器から引き抜かないようにメッセージを告示し、ステップＳ３０４でＯＳを終了するが、このＯＳを実行しているＣＰＵ４０は、リキャリブレーションの以後の動作をマイコン３０に引き継ぐ（ステップＳ３０５）。
【００５３】
ステップＳ３０６で、ＡＣアダプタが引き抜かれた場合は、マイコン３０は、ブザー（図示せず）で警告する（ステップＳ３０７）。ステップＳ３０８で再度電源スイッチが押されなかった場合は、そのままリキャリブレーションを継続し、ステップＳ３０９でリキャリブレーションが終了すると、ステップＳ３１０で電源をシャットダウンする。
【００５４】
しかし、ステップＳ３０８で再度電源スイッチが押されると、ステップＳ３１１のＯＳ起動後はリキャリブレーションは、再びマイコン３０からＣＰＵ４０に引き継がれ（ステップＳ３１２）、ステップＳ３１３でリキャリブレーションを終了する。
【００５５】
以上述べたように、本実施の形態はリキャリブレーションの途中で使用者が携帯情報機器の使用を中止しても、リキャリブレーションが中断されることがなく、使用者が会議等で中座する場合に携帯情報機器のＯＳを終了できるので情報漏洩などの危険がない。
【産業上の利用可能性】
【００５６】
本発明は、携帯情報機器等に使用される２次電池のリキャリブレーションの方法として広く利用することが可能である。
【図面の簡単な説明】
【００５７】
【図１】本発明の実施の形態１における携帯情報機器の要部の構成を示す図
【図２】本発明の実施の形態１における電池の充放電状態を示す図
【図３】本発明の実施の形態１における電池のリキャリブレーション方法の詳細を示す流れ図
【図４】本発明の実施の形態２における電池のリキャリブレーション方法の詳細を示す流れ図
【図５】本発明の実施の形態３における電池のリキャリブレーション方法の詳細を示す流れ図
【符号の説明】
【００５８】
１０    ノートパソコン
２０    ２次電池（電池）
３０    マイクロコンピュータ（マイコン）
４０    ＣＰＵ
５０    充放電制御手段
５１    充電制御部
５２    開閉器
５３    放電抵抗
６１，６２    ＡＣアダプタ端子
【図１】
2008271759.tif 000003
【図２】
2008271759.tif 000004
【図３】
2008271759.tif 000005
【図４】
2008271759.tif 000006
【図５】
2008271759.tif 000007